(57)【要約】【課題】ＰＥＴボトル用の感熱ラベルにおいて、ボトルの胴部分、特に周方向に形成されたリブ部分に貼着されても接着性を有し、かつ使用後に剥離する際は、糊残りがなく、易剥離できる感熱ラベルを提供することにある。【解決手段】ラベルを容器本体に貼着する感熱ラベルであって、始端部１１および終端部１２の感熱接着剤層５，５が、ラベル巻き付け方向に対して垂直方向に帯状に形成され、感熱接着剤層５，５の間の領域に、感熱接着剤層面側、周方向に、斜め線状の感熱接着線７が形成され、感熱接着線７が、感熱接着剤からなる接着部８を点とする点線状に形成されていることを特徴とする感熱ラベル４０である。【選択図】図２
2015014630.tif 000002
【特許請求の範囲】
【請求項１】
長方形状のラベル基材の裏面に感熱接着剤が塗布された感熱ラベルにおいて、
両端部に感熱接着剤層が形成され、ラベルの始端部と容器本体とを感熱接着剤層を介して加熱接着し、容器本体の周方向にラベルを巻き付け、ラベル終端部とラベル始端部の表面とを感熱接着剤層を介して加熱接着し、ラベルを容器本体に貼着する感熱ラベルであって、
前記始端部および前記終端部の感熱接着剤層が、ラベル巻き付け方向に対して垂直方向に帯状に形成され、
前記始端部と前記終端部との間の領域に、感熱接着剤層面側、周方向に、斜め線状の感熱接着線が形成され、
前記感熱接着線が、感熱接着剤からなる接着部を点とする点線状に形成されていることを特徴とする感熱ラベル。
【請求項２】
前記感熱接着線が、前記始端部の感熱接着剤層の上端近傍から前記終端部の感熱接着剤層の下端近傍まで、または、前記始端部の感熱接着剤層の下端近傍から前記終端部の感熱接着剤層の上端近傍まで、周方向に形成されていることを特徴とする請求項１記載の感熱ラベル。
【請求項３】
前記感熱接着線が、前記始端部の感熱接着剤層の上端近傍および下端近傍から、それぞれ、周方向に前記終端部の感熱接着剤層の下端近傍および上端近傍まで形成されていることを特徴とする請求項１記載の感熱ラベル。
【請求項４】
前記感熱接着線が、略平行に複数形成されていることを特徴とする請求項１〜３のいずれか１項に記載の感熱ラベル。
【請求項５】
前記接着部が、円、ひし形、四角、三角のいずれかの形状で、その面積が１ｍｍ２以上であることを特徴とする請求項１〜４のいずれか１項に記載の感熱ラベル。
【請求項６】
前記感熱接着剤が、ディレート型感熱接着剤であることを特徴とする請求項１〜５のいずれか１項に記載の感熱ラベル。
【発明の詳細な説明】
【技術分野】
【０００１】
本発明は、ポリエチレンテレフタレート（ＰＥＴ）樹脂からなるボトル用の感熱ラベルに関するものである。特に、優れた接着強度が有し、ラベルを剥離する際は、易剥離できる感熱ラベルに関するものである。
【背景技術】
【０００２】
従来より、ジュース、コーヒー、水などの飲料や、醤油、麺つゆなどの調味料、化粧品などに使用されているＰＥＴボトル用のラベルは、印刷したラベル基材の裏面に、接着層として水性の糊剤、カゼイングル―などのコールドグルー糊や、粘着剤、また、ディレートタック接着剤、ホットメルト接着剤などの感熱接着剤などが使用され、胴部分に巻き付け貼着されている。
【０００３】
グルー糊を用いる方法は、通常、ボトルへ貼り付け直前にラベル基材の裏面に糊を塗布し、その後加圧し貼着するが、糊の塗布量の設定、糊の追加、交換、使用後の清掃など人手を必要とする。糊量の調整、粘度管理などオペレーターの熟練を要する欠点がある。
【０００４】
また、粘着剤は、ラベルが貼り付けされる直前までセパレータ―と呼ばれる剥離紙が積層され、該セパレータ―から剥離され、ボトルに貼着される。このセパレータ―は、使用後廃棄されるため、材料の無駄使いであることや、高価なためコストアップの要因になっている。また貼着スピードが遅く、大量に貼着するものには不向きである。
【０００５】
剥離紙を使用しない接着剤として、感熱接着剤がある。常温では、粘着性がなく、加熱により粘着性を発現する、ディレートタック型感熱接着剤がある。利便性のよい感熱接着剤である。
【０００６】
また、ラベルを使用せず、筒状の熱収縮するシュリンクラベルを充填後に熱収縮させたものがある。糊を使用していなために、易剥離が容易にできるが、シュリンクラベルを筒状に加工する工程を必要とし、作業工程が増え、装置も大掛かりなものとなり、生産コスト面がアップする欠点がある。
【０００７】
このような中で、生産性を有し、利便性のよい感熱接着剤を用いた感熱ラベルの提案がある。ボトルと強固に接着し、その反面、リサイクルの観点から、使用後、ラベルを易剥離でき、ボトルに接着剤が残らない（以下、糊残りという。）ラベルの提案である。
【０００８】
粘着付与剤が添加された感熱樹脂を溶融押出しによりラベル基材裏面に形成したものがある（特許文献１）。しかしながら、ラベルの製造には溶融押し出し工程が必要となり、コスト面や生産性の面で不利であり、また形成された感熱接着層が比較的厚くなるため、コストがさらに向上する欠点がある。
【０００９】
また、ラベルの一端をボトルに接着、他端を一端部分上（ラベル表面）に接着するラベルで、ボトルに接着する一端には、糊残りし難い接着剤を、ラベルの表面に接着する他端には接着力の優れる接着剤を用いて、接着性と易剥離性の両立を図った提案がある（特許文献２）。しかしながら、この場合、ラベル製造工程において、異なる二種類の接着剤を高い精度でフィルムに塗布することが必要となり、コスト面や生産性の面で不利である。
【００１０】
また、ディレートタック型感熱接着剤の塗布される面積、形状、位置、塗布量を任意のパターンに組み合わせることにより、接着性と易剥離性を備えるようにする提案がある（
特許文献３）。しかし、ラベルの両端部で剥がれてしまう恐れや、ボトルの形状などにより、適宜設計をする必要があり、生産効率が向上しない欠点がある。
【００１１】
また、ボトルの胴部には、横方向からの力に対して、凹みや変形を防ぐために、周方向に複数のリブが形成されているものが多い。このリブ部分にラベルが周方向に貼着されると、輸送時に、ラベルの浮きや脱落などが生じる問題もある。
【００１２】
よって、ボトルの胴部分、特に周方向に形成されたリブ部分に貼着されても接着性を有し、かつ使用後に剥離する際は、糊残りがなく、易剥離できる感熱ラベルが要望されている。
【先行技術文献】
【特許文献】
【００１３】
【特許文献１】特開２００４−８５６５１号公報
【特許文献２】特開２００４−２１９６２１号公報
【特許文献３】特開２００３−２２８２９２号公報
【発明の概要】
【発明が解決しようとする課題】
【００１４】
ＰＥＴボトル用の感熱ラベルにおいて、ボトルの胴部分、特に周方向に形成されたリブ部分に貼着されても接着性を有し、かつ使用後に剥離する際は、糊残りがなく、易剥離できる感熱ラベルを提供することにある。
【課題を解決するための手段】
【００１５】
上記の課題を解決するために、発明者は鋭意検討を行い、本発明を完成した。
【００１６】
本発明の請求項１に係る発明は、長方形状のラベル基材の裏面に感熱接着剤が塗布された感熱ラベルにおいて、
両端部に感熱接着剤層が形成され、ラベルの始端部と容器本体とを感熱接着剤層を介して加熱接着し、容器本体の周方向にラベルを巻き付け、ラベル終端部とラベル始端部の表面とを感熱接着剤層を介して加熱接着し、ラベルを容器本体に貼着する感熱ラベルであって、
前記始端部および前記終端部の感熱接着剤層が、ラベル巻き付け方向に対して垂直方向に帯状に形成され、
前記始端部と前記終端部との間の領域に、感熱接着剤層面側、周方向に、斜め線状の感熱接着線が形成され、
前記感熱接着線が、感熱接着剤からなる接着部を点とする点線状に形成されていることを特徴とする感熱ラベルである。
【００１７】
本発明の請求項２に係る発明は、前記感熱接着線が、前記始端部の感熱接着剤層の上端近傍から前記終端部の感熱接着剤層の下端近傍まで、または、前記始端部の感熱接着剤層の下端近傍から前記終端部の感熱接着剤層の上端近傍まで、周方向に形成されていることを特徴とする請求項１記載の感熱ラベルである。
【００１８】
本発明の請求項３に係る発明は、前記感熱接着線が、前記始端部の感熱接着剤層の上端近傍および下端近傍から、それぞれ、周方向に前記終端部の感熱接着剤層の下端近傍および上端近傍まで形成されていることを特徴とする請求項１記載の感熱ラベルである。
【００１９】
本発明の請求項４に係る発明は、前記感熱接着線が、略平行に複数形成されていることを特徴とする請求項１〜３のいずれか１項に記載の感熱ラベルである。
【００２０】
本発明の請求項５に係る発明は、前記接着部が、円、ひし形、四角、三角のいずれかの形状で、その面積が１ｍｍ２以上であることを特徴とする請求項１〜４のいずれか１項に記載の感熱ラベルである。
【００２１】
本発明の請求項６に係る発明は、前記感熱接着剤が、ディレート型感熱接着剤であることを特徴とする請求項１〜５のいずれか１項に記載の感熱ラベルである。
【発明の効果】
【００２２】
本発明の感熱ラベルは、ＰＥＴボトルの胴部分、特に周方向に形成されたリブ部分に貼着されても接着性を有し、かつ使用後に剥離する際は、糊残りがなく、易剥離性を有するものである。輸送時でのラベルの浮きや、剥がれ、破れなどがなく優れた接着性を有するものである。
【００２３】
本発明によれば、ラベルの始端部およびラベルの終端部の感熱接着剤層が帯状に形成され、始端部と終端部との間の領域に、感熱接着剤層面側、周方向に、斜め線状の感熱接着線が形成され、感熱接着線が、感熱接着剤からなる接着部を点とする点線状に形成されることにより、ボトルに対し優れた接着性を有し、また、使用後に剥離する際は、糊残りがなく、易剥離性を有することができる。
【００２４】
ＰＥＴボトルの胴部分、周方向に形成されたリブ部分に貼着されても、接着部がリブにしっかりと接着されているために、輸送時でのラベルの浮きや、剥がれ、破れなどがなく、また、使用後に剥離する際は、糊残りがなく、易剥離性を有することができる。
【００２５】
また、感熱接着線が、始端部の感熱接着剤層の上端近傍から終端部の感熱接着剤層の下端近傍まで、または、前記始端部の感熱接着剤層の下端近傍から前記終端部の感熱接着剤層の上端近傍まで、周方向に形成されていることにより、ボトルに対する接着性を有し、また、使用後に剥離する際は、易剥離性を有することができる。
【００２６】
また、感熱接着線が、始端部の感熱接着剤層の上端近傍および下端近傍から、それぞれ、周方向に、終端部の感熱接着剤層の下端近傍および上端近傍まで、形成されていることにより、さらにボトルに対する接着性を向上させることができる。また、使用後に剥離する際は、易剥離性を有することができる。
【００２７】
また、感熱接着線が、略平行に複数形成されていることにより、さらにボトルに対する接着性を向上させることができる。また使用後に剥離する際は、易剥離性を有することができる。
【００２８】
また、接着部が、円、ひし形、四角、三角のいずれかの形状で、その面積が１ｍｍ２以上であることにより、ボトルに対する優れた接着性を発現させ、また、使用後に剥離する際は、易剥離性を有するものである。
【００２９】
また、感熱接着剤が、ディレート型感熱接着剤であることにより、常温では、粘着性がなく、加熱により粘着性が発現させるために、大掛かりな設備を必要とせず、生産性を有したラベルができる。ボトルに対する接着性と、易剥離性を有することができる。
【図面の簡単な説明】
【００３０】
【図１】本発明の感熱ラベルの層構成の一例を示す断面図である。
【図２】本発明の感熱ラベルの感熱接着剤層のパターンの一例を示す説明図である。
【図３】本発明の感熱ラベルの感熱接着剤層のパターンの他の一例を示す説明図である。
【図４】本発明の感熱ラベルの感熱接着剤層のパターンの他の一例を示す説明図である。
【図５】本発明の感熱ラベルをＰＥＴボトルに貼着するときの状態の一例を示す説明図である。
【図６】従来の感熱ラベルの感熱接着剤層のパターンの一例を示す説明図である。
【図７】比較例３の感熱接着剤層のパターンを示す説明図である。
【発明を実施するための形態】
【００３１】
以下、本発明を実施するための形態につき説明する。
【００３２】
図１は、本発明の感熱ラベルの層構成の一例を示す断面図である。感熱ラベル４０は、図１−１に示す、少なくとも、印刷層２／ラベル基材層１／感熱接着剤層４、感熱接着層７が順に積層された層構成からなるものである。感熱接着剤層４は、ラベルの始端部１１と終端部１２に形成されている。また、感熱接着線７が、始端部１１の感熱接着剤層４と終端部１２の感熱接着剤層４との間に形成されている。また、必要に応じて、印刷層の耐摩耗、耐汚れなどを付与するために印刷層の上にオーバーコート層３を積層することもできる。図１−２に示す、オーバーコート層３／印刷層２／ラベル基材層１／感熱接着剤層４、感熱接着層７の層構成からなるものである。また、ラベル基材層１と感熱接着剤層４の接着性を向上させるために、アンカーコート層６を積層することもできる。図１−３に示す、印刷層２／フィルム基材層１／アンカー層６／感熱接着剤層４、感熱接着層７の層構成からなるものである。
【００３３】
図２は、本発明の感熱ラベルの感熱接着剤層のパターンの一例を示す説明図である。感熱ラベル４０の裏面１０を示している。図２−１には、ラベル４０の両端部には感熱接着剤層５，５がそれぞれ帯状に形成され、始端部１１の帯状の感熱接着剤層５の上端近傍から、周方向に、終端部１２の帯状の感熱接着剤層５の下端近傍まで、感熱接着剤層面側、周方向に、斜め線状の感熱接着線７が形成されている一例を示している。感熱接着線７は、感熱接着剤からなる接着部８を点とする点線状に形成されている。また、図２−２には、始端部１１の感熱接着剤層５の下端近傍から、周方向に、終端部１２の感熱接着剤層５の上端近傍まで、感熱接着層面側に、斜め線状の感熱接着線７を形成されている一例を示している。
【００３４】
図３には、感熱接着剤層のパターンの他の一例を示す説明図である。感熱ラベル４０の裏面１０を示したものである。感熱接着線７が、始端部１１の帯状の感熱接着剤層５の上端近傍および下端近傍から、それぞれ、感熱接着剤層面側、周方向に、終端部１２の帯状の感熱接着剤層５の下端近傍および上端近傍まで形成されている。感熱接着線７が、対角線状に形成されている一例を示している。感熱接着線７は、感熱接着剤からなる接着部８を点とする点線状に形成されたものである。
【００３５】
図４には、感熱接着剤層のパターンの他の一例を示す説明図である。感熱ラベル４０の裏面１０を示したものである。感熱接着線７が、斜め線状に形成され、略平行に二本形成されている一例を示している。
【００３６】
図５は、本発明の感熱ラベルをＰＥＴボトルに貼着するときの状態の一例を示す説明図である。ＰＥＴボトル２０には、横方向からの力に対して、凹みや変形を防ぐために、図５−１に示すような、周方向に複数のリブ２１が形成されている。このようなリブ部分に、感熱ラベル４０を周方向に巻くために、例えば、図５−２に示すように、まず始端部１１の感熱接着剤層５を周方向に形成されたリブ部分に加熱接着し、周方向に貼着させる。次いで、接着部８を、それぞれ、複数のリブ２１に接着させ、次いで、終端部１２を始端部１１の表面に重ね、加熱接着し、感熱接着剤層５を介してラベルを貼着する。矢印Ａは、接着部８がリブ２１と接着する方向を示している。接着部８がリブ２１に接着するため、輸送時に、ラベルの浮きや、剥がれ、破れがなく、接着性が維持できる。図２−２、図３、図４に示すラベルでも同様である。
【００３７】
図６は、従来の感熱ラベルの感熱接着剤層のパターンの一例を示す説明図である。図６−１は、ラベル３０は、ラベル基材層の裏面全体に感熱接着剤層４が形成された一例を示している。ボトルに対して接着力が強すぎて剥離がし難い欠点を有している。また図６−２は、両端部、即ち、始端部１１、終端部１２に帯状の感熱接着剤層５が形成された一例を示している。感熱接着剤層５，５の間の領域で、ラベルの浮きや、剥がれ、破れなどが生じる恐れがある。
【００３８】
よって、両端部の感熱接着樹脂層の間の領域に、斜め線状に感熱接着線を形成し、該感熱接着線が、感熱接着剤からなる接着部を点とする点線状であることにより、ボトルへの接着性、使用後に剥離する際には、糊残りがなく易剥離性を有しているものである。特に周方向のリブ部分に貼着されても、ラベルの浮きや、剥がれ、破れが生じないラベルである。
【００３９】
以下に、本発明の実施するための形態につき、更に詳しく説明する。
【００４０】
ラベル基材層１としては、機械的、物理的、化学的、その他において優れた性質を有する紙材料を用いることができる。紙、合成紙、クレーコート紙、クラフト紙、模造紙、その他加工紙などが使用できる。表面の美粧性からコート紙、アート紙、ＡＬ蒸着紙などを用いることができる。基材の坪量として５０〜２５０ｇ／ｍ２の範囲のものが使用できる。また、紙材料の強度を向上させるために、フィルムとの複合材料なども使用できる。フィルムとしては、例えば、ポリエチレンフィルム、ポリプロピレンフィルム、ポリエステルフィルム、ポリアミドフィルム、などが使用できる。フィルムの厚みとしては、１２〜１００μｍの範囲が好ましい。
【００４１】
感熱接着剤層４としては、ディレート型感熱接着剤を用いることができる。ディレート型感熱接着剤としては、一般的に、エチレン系共重合体、粘着付与剤および固体可塑剤とから構成される主剤と、ウレタン系樹脂からなる補助剤と、を含有するものからなる。主剤は、粘着性や接着性の発現の役割を担い、補助剤は、接着剤層の凝集力を高め、剥離性を発現させ、糊残りを防止する役割を担い、また主剤中の固体可塑剤は、接着剤の固化速度を調節し、ディレート性を付与する役割を担うものである。
【００４２】
エチレン共重合体としては、例えば、エチレン−酢酸ビニル共重合体（ＥＶＡ）、エチレン−アクリル酸共重合体（ＥＡＡ）、エチレン−メタアクリル酸共重合体（ＥＭＡＡ）、エチレン−アクリル酸メチル共重合体（ＥＥＡ）などが挙げられる。
【００４３】
粘着付与剤は、接着性を向上させる作用を示し、例えば、ロジン系樹脂、テルペン系樹脂、石油樹脂、スチレン系樹脂などが挙げられる。
【００４４】
固体可塑剤としては、フタル酸エステル化合物やヒンダードフェノール系化合物、トリアゾール系化合物などが挙げられる。
【００４５】
補助剤としては、脂肪族系ウレタン樹脂が用いられ、保存時には黄変が生じないものがよい。凝集力により、適宜重量平均分子量を選定して決めればよい。
【００４６】
ディレート型接着剤の厚みとしては、接着性、生産コストなどを考量して適宜選択すればよく、特に限定されないが、３〜２０ｇ／ｍ２の範囲が好ましく、より好ましくは８〜１５ｇ／ｍ２の範囲が好ましい。
【００４７】
ディレート型感熱接着剤は、通常、エマルジョン型で用いられる。塗布方法としては、グラビア印刷、オフセット印刷、フレキソ印刷、シルクスクリーン印刷、インクジェット印刷など公知の方法で可能である。
【００４８】
また、感熱接着剤層には、ホットメルト接着剤を塗布しても可能である。熱可塑性樹脂であればよく、例えば、ポリエチレン、ポリプロピレン、エチレン−酢酸ビニル樹脂などのオレフィン系樹脂、ポリウレタン樹脂、アクリル樹脂、ポリエステル樹脂、エチレンビニルアルコール樹脂、ポリアミド樹脂、ポリイミド樹脂、ゴム系樹脂などが使用できる。しかし、ホットメルト接着剤は、塗布時に高温にして溶融させる必要がある上、高粘度である。これに対して、ディレート型感熱接着剤は、塗布時に高温にする必要はなく、低粘度である。また、ディレート型感熱接着剤は、ラベル基材に塗布した後は、常温で粘着性がなく、加熱すると粘着性を発現し、粘着性が発現され、この粘着性が冷却後も継続されることなどから、ホットメルト接着剤より好ましい。
【００４９】
ラベルの両端部に帯状に形成する感熱接着剤層の幅は、１ｍｍ以上が好ましい。始端部の感熱接着剤層は、ボトルとの接着、終端部の感熱接着剤層は、始端部の表面との接着に用いられる。ともに１ｍｍ以上にすることで、接着性を維持できる。
【００５０】
接着部８の形状は、円、ひし形、四角、三角のいずれかであることにより、易剥離性を向上することができる。また接着部の面積を１ｍｍ２以上にすることで、接着性と易剥離性を同時に備えることができる。
【００５１】
また、ラベル基材層の表面に、例えば、文字、図形、絵柄、記号、その他所望の印刷層２を印刷することができる。印刷方法は、グラビア印刷、オフセット印刷、フレキソ印刷、スクリーン印刷、インクジェット印刷など公知の方法が可能である。また、アルミニウム蒸着した紙系材料を用いることで、美粧性を向上させることができる。また、印刷層の耐磨耗や耐汚れを向上させるために、印刷層の上にオーバーコート層を設けてもよい。オーバーコート剤としは、例えば、ポリエチレン、ポリプロピレン、ウレタン、ポリエステルなどの樹脂からなる塗布液を用いて、グラビア印刷にて形成することができる。
【００５２】
また、ラベル基材層と感熱接着剤層との層間にアンカーコート層を設けてもよい。ラベル基材層と感熱接着剤層との接着性を向上させ、ラベルを剥がす際に、紙剥け、糊残りを防ぐことができる。アンカーコート剤としは、例えば、ポリエチレン、ポリプロピレン、ウレタン、ポリエステルなどの樹脂からなる塗布液を用いて、グラビア印刷にて形成することができる。
【００５３】
本発明の感熱ラベルを製造する方法の一例について説明する。
【００５４】
ラベル基材層の表面に印刷層を形成する。印刷層を形成する方法は、美粧性、生産性などから公知の方法の中から適宜決めればよい。
【００５５】
印刷ラベル基材層の裏面に、ディレート型感熱接着剤を塗布する。塗布する際は、ラベルを作成する際に、両端部に帯状の感熱接着剤層が形成されように、また、感熱接着剤層の間の領域に、斜め線状の感熱接着線が形成されるように塗布する。帯状の感熱接着剤層の厚さ、感熱接着線の接着部の厚さ、面積、などが所定の範囲になるように形成する。また、ボトルの周方向に形成されたリブ部分に貼着する場合は、ラベリング時に、接着部がリブに接着されるようにする。
【００５６】
作成された原反をスリットし、所定の幅のロール状にして、ラベリング機に載置する。
ラベリング機上で所定の長さに切断され、ボトルにラベルの始端部より加熱加圧され、感熱接着層を介して接着され、次いで周方向に感熱接着線が同様に接着され、最後に終端部が感熱接着剤層を介して始端部の表面に接着して、ラベルが貼着されたボトルが形成される。
【００５７】
使用後に剥離する際は、ラベルの始端部の端部をつまみ、剥離することができる。ボトルには、糊残りがなく、易剥離することができる。
【００５８】
以下に、本発明の具体的実施例について説明する。
【実施例１】
【００５９】
ラベル基材層として坪量６０ｇ／ｍ２のコート紙を使用した。このコート紙の表面に、ポリアミド樹脂を主成分としたインキを用いてグラビア印刷を行い、次いでウレタン系樹脂を主成分としたインキを用いてオーバーコート層を形成した。印刷ラベル基材層を形成した。
【００６０】
次に、印刷ラベル基材層の裏面に、ディレート型感熱接着剤（ダイセルファインケム（株）、商品名、エコブリット）を用いてグラビア印刷を行い、感熱接着剤層と感熱接着線を形成した。尚、感熱接着剤および感熱接着線の塗布量は、１０ｇ／ｍ２（ｄｒｙ）相当として形成した。
【００６１】
この際、ラベル化されるときに、図４に示すパターンを形成するために、ラベルの両端部の帯状の感熱接着剤層の幅を１０ｍｍ、また、感熱接着剤層の間の領域に、斜め線状に感熱接着剤からなる接着部を点とする点線状の感熱接着線を二本形成するようにした。その接着部は円状で、面積は２．０ｍｍ２で、間隔を１ｍｍにして、感熱接着線を形成した。次いで、断裁し、感熱ラベルのサイズを縦７６ｍｍ、横２５０ｍｍで形成した。
【００６２】
次に、この感熱ラベルを、図５−１に示す、内容量１ＬのＰＥＴボトルの周方向に形成されたリブ部分に加熱加圧して貼着した。ラベルの始端部を、感熱接着剤層を介してボトルと接着し、次いで、周方向に感熱接着線を接着、終端部と始端部の表面とを、感熱接着剤層を介して接着させ、ラベルが貼着されたボトルを作成した。この際、接着部をリブに接着させた。
【００６３】
以下に、本発明の比較例について説明する。
【００６４】
＜比較例１＞
印刷ラベル基材層の裏面に感熱接着剤層を全面に塗布して形成した以外は、実施例１と同様に行い。感熱ラベルが貼着されたボトルを作成した。
【００６５】
＜比較例２＞
印刷ラベル基材層の裏面の両端部に、帯状の感熱接着剤層の幅を１０ｍｍ形成し、感熱接着線を形成しない以外は、実施例１と同様に行い。ラベルが貼着されたボトルを作成した。
【００６６】
＜比較例３＞
印刷ラベル基材層の裏面の両端部に、帯状の感熱接着剤層の幅を１０ｍｍ形成し、その感熱接着剤層の間の領域に、図７に示す、ラベルの縦方向中央近傍に、横方向に、直線状に感熱接着線を形成した。その接着部は、円状で、面積は２．０ｍｍ２で、間隔を１ｍｍで感熱接着線を形成した以外は、実施例１と同様に行い。ラベルが貼着されたボトルを作成した。
【００６７】
＜評価方法＞
・接着強度：ラベル端部をつまみ、ラベルが剥離する際の接着強度を測定した（引張速度：３００ｍｍ／ｍｉｎ）。
・ラベルの浮きおよび脱落の確認（輸送テスト）；それぞれの、ラベルが貼着されたボトルを段ボールに８本収納し、３ケースを作成した。それを東京〜大阪間を１往復させ、ラベルの脱落、破れの有無を確認した。
【００６８】
＜評価結果＞
表１に記す。
【００６９】
【表１】
2015014630.tif 000003
実施例１、比較例１のラベルでは、浮き、破れ、脱落などは観られなかった。しかし、剥離性については、実施例１では、糊残りがなく易剥離できたが、比較例１では、官能であるが重く感じて剥離し難かった。また、比較例２および比較例３は、輸送テストで、それぞれ破れや脱落が観られた。
【００７０】
本発明の感熱ラベルは、周方向に形成されたリブ部分に貼着されても、優れた接着性を有し、剥離する際も、糊残りがなく易剥離できるものであることが判った。
【符号の説明】
【００７１】
１    ラベル基材層
２    印刷層
３    オーバーコート層
４    感熱接着剤層
５    帯状の感熱接着剤層
６    アンカーコート層
７    感熱接着線
８    接着部
１０  ラベル基材層の裏面
１１  始端部
１２  終端部
２０  ＰＥＴボトル
２１  リブ
３０  従来の感熱ラベル
４０  本発明の感熱ラベル
Ａ    接着方向
【図１】
2015014630.tif 000004
【図２】
2015014630.tif 000005
【図３】
2015014630.tif 000006
【図４】
2015014630.tif 000007
【図５】
2015014630.tif 000008
【図６】
2015014630.tif 000009
【図７】
2015014630.tif 000010